(57)【要約】【課題】金型本体に対する蓋の着脱操作を容易に行うことができ、自動化への対応も容易な遠心成形型における蓋のロック装置を提供する。【解決手段】中空円筒体を遠心成形するための管状の金型本体１１と、該金型本体の開口を閉塞する蓋１２とを有する遠心成形型における蓋のロック装置２１であって、蓋１２の外周に設けたロック爪支持部２２に、金型軸線方向に移動可能かつ法線方向に傾動可能な状態でロック爪２３を軸支し、該ロック爪の先端部に金型本体に設けられているフランジ１３に係止する係止部２６を、後端部にナット螺合用の雄ねじ部をそれぞれ設け、該雄ねじ部に螺合させたナット２８とロック爪支持部２２との間にコイルスプリング３０を圧縮状態で装着するとともに、ロック爪支持部におけるコイルスプリング当接面（上面２２ａ）を蓋外周側に傾斜させておく。【選択図】　　図１
2004082416.tif 000002
【特許請求の範囲】
【請求項１】
中空円筒体を遠心成形するための管状の金型本体と、該金型本体の開口を閉塞する蓋とを有する遠心成形型における蓋のロック装置であって、前記蓋の外周に設けたロック爪支持部に、金型軸線方向に移動可能かつ法線方向に傾動可能な状態でロック爪を軸支し、該ロック爪の先端部に金型本体に設けられているフランジに係止する係止部を、後端部にナット螺合用の雄ねじ部をそれぞれ設け、該雄ねじ部に螺合させたナットと前記ロック爪支持部との間にコイルスプリングを圧縮状態で装着するとともに、前記ロック爪支持部におけるコイルスプリング当接面を蓋外周側に傾斜させたことを特徴とする遠心成形型における蓋のロック装置。
【発明の詳細な説明】
【０００１】
【発明の属する技術分野】
本発明は、遠心成形型における蓋のロック装置に関し、詳しくは、中空円筒体を成形するための管状の金型本体における両端開口に着脱可能に設けられる蓋のロック装置に関する。
【０００２】
【従来の技術】
樹脂製中空円筒体を成形する方法として、管状の金型本体と、該金型本体の開口を閉塞する蓋とからなる遠心成形型内に原料樹脂を注入し、該金型を軸線を中心として回転させながら原料樹脂を硬化させる遠心成形法が知られている（例えば、特許文献１参照。）。
【０００３】
【特許文献１】
特開平６−３３５９３１号公報（第３頁、第１図）
【０００４】
【発明が解決しようとする課題】
しかし、従来の遠心成形型における蓋は、金型本体の端部に設けられているフランジに対して複数のボルトで固定していたため、成形品を金型内から取り出すには、ボルトを抜いて蓋を取り外す必要がある。さらに、一方の蓋を取り外しただけでは、成形品が収縮しないと金型内から取り出すことができず、冷却されるまで待たなければならなかった。また、一方の開口側から他方の開口に向けて成形品を押し出して取り出すためには、両方の蓋を取り外す必要がある。
【０００５】
このように、従来の遠心成形型では、遠心成形を行うたびに多数のボルトを着脱する必要があり、作業性が悪く、生産性も低かった。また、金型本体に対する蓋のロック機構として、キャッチクリップのような市販のロック手段を使用することも行われているが、シール力の点で問題があったり、自動化への適合が困難であったりするなどの難点があった。
【０００６】
そこで本発明は、金型本体に対する蓋の着脱操作を容易に行うことができ、自動化への対応も容易な遠心成形型における蓋のロック装置を提供することを目的としている。
【０００７】
【課題を解決するための手段】
上記目的を達成するため、本発明の遠心成形型における蓋のロック装置は、中空円筒体を遠心成形するための管状の金型本体と、該金型本体の開口を閉塞する蓋とを有する遠心成形型における蓋のロック装置であって、前記蓋の外周に設けたロック爪支持部に、金型軸線方向に移動可能かつ法線方向に傾動可能な状態でロック爪を軸支し、該ロック爪の先端部に金型本体に設けられているフランジに係止する係止部を、後端部にナット螺合用の雄ねじ部をそれぞれ設け、該雄ねじ部に螺合させたナットと前記ロック爪支持部との間にコイルスプリングを圧縮状態で装着するとともに、前記ロック爪支持部におけるコイルスプリング当接面を蓋外周側に傾斜させたことを特徴としている。
【０００８】
【発明の実施の形態】
図１は本発明の蓋のロック装置を使用した遠心成形型の一形態例を示す断面図、図２はロック装置を設けた蓋の裏面図、図３はロック装置の正面図、図４はロック解除操作の説明図である。
【０００９】
まず、遠心成形型１０は、管状の金型本体１１と、該金型本体１１の両端開口を閉塞するための一対の蓋１２とを有するものであって、一方の蓋を金型本体に装着した状態で金型本体１１内に原料樹脂を注入し、他方の蓋を装着して金型本体の両端開口を閉塞した後、金型軸線を中心として高速回転させることにより、金型本体１１の内周面に沿う筒状の成形品を得るものである。
【００１０】
蓋１２を金型本体１１に固定するためのロック装置２１は、蓋１２の外周３箇所に等間隔で設けられたロック爪支持部２２と、各ロック爪支持部にそれぞれ取り付けられたロック爪２３とを有している。ロック爪支持部２２は、ロック爪２３を挟む一対の支持片２４を有するものであって、各支持片２４は、蓋１２の外周を切削して形成されるとともに、ロック爪支持部２２の上面２２ａを蓋外周側が下がるように傾斜させた状態としている。また、支持片２４には、ロック爪２３を支持するためのピン２５を取り付けるピン孔が設けられている。
【００１１】
ロック爪２３は、その先端部に、金型本体１１に設けられているフランジ１３に係止する係止部２６を有するとともに、後端部に、ナット螺合用の雄ねじ部を有している。このロック爪２３は、中間部に設けられた爪長手方向の長孔２７に前記ピン２５を挿通させた状態で前記支持片２４に軸支されることにより、金型軸線方向に移動可能かつ法線方向に傾動可能な状態となっている。
【００１２】
また、ロック爪２３は、蓋１２に取り付けるときに、後端部の雄ねじ部に螺合させたナット２８と前記ロック爪支持部２２との間に、ワッシャー２９を介してコイルスプリング３０を圧縮状態で装着している。このコイルスプリング３０は、先端側がロック爪支持部２２の上面２２ａ、即ちコイルスプリング当接面に対して外周側が爪先端方向に変位した状態で圧接するため、外周側の撓み量に比べて内周側の撓み量が大きくなる。したがって、ロック爪２３には、コイルスプリング３０の復元力によって後端部側（ナット側）が蓋外周に倒れる方向の力が作用し、係止部２６をフランジ１３に係止させる方向の力となる。
【００１３】
このように形成したロック装置２１は、蓋１２を金型本体１１に装着した状態では、前記コイルスプリング３０の作用でロック爪２３の係止部２６がフランジ１３に確実に係止した状態になるとともに、蓋１２を金型本体１１の開口に押し付けた状態となる。このとき、コイルスプリング３０の性能を適当に選択することにより、必要十分な押し付け力で蓋１２を金型本体１１に密着させることができる。また、ロック爪２３へのナット２８の螺合量を変えることにより、コイルスプリング３０による押し付け力を微調整することが可能である。
【００１４】
ロック装置２１のロック解除は、図４に示すように、ロック爪２３の後端を蓋内周側に傾動させることによって行うことができる。このロック爪２３の傾動操作は、図４に想像線で示すように、内周に蓋側が拡開した円錐状のテーパー面３１ａを有するロック解除治具３１を金型軸線方向に押し付けることによって容易に行うことができる。また、ロック解除治具３１のテーパー面３１ａを蓋１２に対応した最大径を有する円錐面状に形成しておくことにより、３箇所のロック爪２３を、これらの位置に関係なく同時に傾動させることができる。したがって、このような円錐面を有するロック解除用の治具と、蓋１２を把持する治具とを組み合わせることにより、金型本体１１に対する蓋１２の着脱及びロック装置２１の開閉操作を自動的に行うことが可能となる。
【００１５】
さらに、本形態例に示すように、金型本体両側の開口に前記ロック装置２１を備えた蓋１２を設けておくことにより、成形後に両方の蓋１２を取り外して一方の開口から他方の開口に向けて成形品を押し出して金型本体内から取り出すことができるので、従来のように成形品が収縮するのを待ってから取り出す場合や、多数のボルトを取り外す場合に比べて大幅な時間短縮を図ることができる。
【００１６】
【発明の効果】
以上説明したように、本発明の遠心成形型における蓋のロック装置によれば、蓋の着脱を容易に行うことができるので、成形品の取り出しも成形直後に行うことが可能となる。また、ロック解除は、ロック爪を蓋内周側に傾動させるだけで行えるので、自動化への対応も容易である。
【図面の簡単な説明】
【図１】本発明の蓋のロック装置を使用した遠心成形型の一形態例を示す断面図である。
【図２】ロック装置を設けた蓋の裏面図である。
【図３】ロック装置の正面図である。
【図４】ロック解除操作の説明図である。
【符号の説明】
１０…遠心成形型、１１…金型本体、１２…蓋、１３…フランジ、２１…ロック装置、２２…ロック爪支持部、２３…ロック爪、２４…支持片、２５…ピン、２６…係止部、２７…長孔、２８…ナット、２９…ワッシャー、３０…コイルスプリング、３１…ロック解除治具、３１ａ…テーパー面
【図１】
2004082416.tif 000003
【図２】
2004082416.tif 000004
【図３】
2004082416.tif 000005
【図４】
2004082416.tif 000006